(57)【特許請求の範囲】
【請求項１】
ＣＤが２つ並んで入る大きさの開口を形成した厚手の板紙の表側に用紙を貼り付けて上側凹部を形成してなる表側台紙と、前記板紙の開口と同じ位置に同じ大きさの開口を形成した厚手の板紙の裏側に用紙を貼り付けて下側凹部を形成してなる裏側台紙とからなり、上側凹部と下側凹部にそれぞれ２枚のＣＤを収納した状態で表側台紙と裏側台紙を貼り合わせて構成されており、直線状の折曲線とＵ字パターンの切込線とからなるＣＤ取出し用の開閉領域が表側台紙に区画され、その開閉領域の切込線が開口の外側にあって表側台紙の板紙を貫通して形成されていることを特徴とするＣＤホルダー。
【請求項２】
ＣＤが２つ並んで入る大きさの開口を形成した厚手の板紙の表側に用紙を貼り付けて上側凹部を形成してなる表側台紙と、前記板紙の開口を２分する位置に半分の大きさの開口を形成した厚手の板紙の裏側に用紙を貼り付けて下側凹部を形成してなる裏側台紙とからなり、上側凹部に２枚のＣＤを下側凹部に１枚のＣＤを収納した状態で表側台紙と裏側台紙を貼り合わせて構成されており、直線状の折曲線とＵ字パターンの切込線とからなるＣＤ取出し用の開閉領域が表側台紙に区画され、その開閉領域の切込線が開口の外側にあって表側台紙の板紙を貫通して形成されていることを特徴とするＣＤホルダー。
【請求項３】
開閉領域の折曲線の中央から設けられたミシン目線により開閉領域が２分割されている請求項１又は２に記載のＣＤホルダー。
【請求項４】
表側台紙の用紙の開閉領域における折曲線と対向する位置において切込線が内向きに突き出て摘み部分が設けられており、その摘み部分が板紙と接着していない請求項１〜３のいずれかに記載のＣＤホルダー。
【請求項５】
表側台紙の開閉領域内であって、裏側台紙における板紙と用紙とが重なった位置に、指先大の孔を形成するための切込が設けられている請求項１〜４のいずれかに記載のＣＤホルダー。
【請求項６】
中のＣＤが見える窓が用紙に設けられている請求項１〜５のいずれかに記載のＣＤホルダー。
【請求項７】
窓を設けた用紙の表側に透明フィルムをラミネートした請求項６に記載のＣＤホルダー。
【請求項８】
綴代部分を区画する切込線が側縁に沿って設けられている請求項１〜７のいずれかに記載のＣＤホルダー。
【発明の詳細な説明】
【０００１】
【発明の属する技術分野】
本発明は、ＣＤ（コンパクトディスク）をパソコン雑誌やゲーム雑誌などの本に綴じ込む際に用いられる紙製のＣＤホルダーに関するものである。
【０００２】
【従来の技術】
従来、この種のＣＤホルダーとしては、ＣＤより僅かに大きなサイズの円形孔を設けた表台紙とこれに貼り合わせる裏台紙とからなり、円形孔の部分に保護袋入りのＣＤが露出するように挿入するとともに、表台紙の一部に保護袋からＣＤを取り出すための開閉領域を設けてなる板紙製のものが知られている（例えば、特開平７−１８６６号公報参照）。そして、このタイプのＣＤホルダーは、貼り合わせた両方の台紙の側端に綴代部分を折曲げ可能に連設してあり、この綴代部分により本の任意ページに綴じ込むようになっている。
【０００３】
【発明が解決しようとする課題】
上記したタイプのＣＤホルダーは、ＣＤを１枚だけ収納する形態に限るものではなく、２枚のＣＤを上下に並べて収納した形態のものも知られている。しかしながら、雑誌等のスペースからしてそれ以上の枚数を収納することはできない。一方、最近ではこの種の雑誌等においてさらに多くのＣＤを収納できるタイプで低コストのＣＤホルダーの出現が望まれている。
【０００４】
本発明は、上記のような事情に鑑みてなされたものであり、その目的とするところは、簡単な構造で３枚又は４枚のＣＤを収納でき、しかもコストも低いＣＤホルダーを提供することにある。
【０００５】
【課題を解決するための手段】
上記の目的を達成するために、本発明のＣＤホルダーは、ＣＤを重ねて収納するように構成した。４枚のＣＤを収納するタイプのＣＤホルダーは、ＣＤが２つ並んで入る大きさの開口を形成した厚手の板紙の表側に用紙を貼り付けて上側凹部を形成してなる表側台紙と、前記板紙の開口と同じ位置に同じ大きさの開口を形成した厚手の板紙の裏側に用紙を貼り付けて下側凹部を形成してなる裏側台紙とからなり、上側凹部と下側凹部にそれぞれ２枚のＣＤを収納した状態で表側台紙と裏側台紙を貼り合わせて構成されており、直線状の折曲線とＵ字パターンの切込線とからなるＣＤ取出し用の開閉領域が表側台紙に区画され、その開閉領域の切込線が開口の外側にあって表側台紙の板紙を貫通して形成されていることを特徴とする。
【０００６】
また、３枚のＣＤを収納するタイプのＣＤホルダーは、ＣＤが２つ並んで入る大きさの開口を形成した厚手の板紙の表側に用紙を貼り付けて上側凹部を形成してなる表側台紙と、前記板紙の開口を２分する位置に半分の大きさの開口を形成した厚手の板紙の裏側に用紙を貼り付けて下側凹部を形成してなる裏側台紙とからなり、上側凹部に２枚のＣＤを下側凹部に１枚のＣＤを収納した状態で表側台紙と裏側台紙を貼り合わせて構成されており、直線状の折曲線とＵ字パターンの切込線とからなるＣＤ取出し用の開閉領域が表側台紙に区画され、その開閉領域が切込線が開口の外側にあって表側台紙の板紙を貫通して形成されていることを特徴とする。
【０００７】
そして、いずれのタイプにあっても、開閉領域の折曲線の中央から設けられたミシン目線により開閉領域が２分割されているのが好ましい。また、一旦取り出したＣＤを再収納してリクローズできるようにするためには、表側台紙の用紙の開閉領域における折曲線と対向する位置において切込線が内向きに突き出て摘み部分が設けられており、その摘み部分が板紙と接着していない構成にするとよい。さらに、ホルダーの裏から指で押して開閉領域を開けやすくするためには、表側台紙の開閉領域内であって、裏側台紙における板紙と用紙とが重なった位置に、指先大の孔を形成するための切込が設けられている構成にする。
【０００８】
また、ホルダーの中のＣＤが外から見えるようにするためには、中のＣＤが見える窓を用紙に設けるとよく、この場合、窓を設けた用紙の表側に透明フィルムをラミネートしておけば、窓の部分に引っ掛かりがなくなるので、ホルダーを表紙に使用することもできる。また、雑誌等に綴じ込む場合には、綴代部分を区画する切込線を側縁に沿って設けておくようにする。
【０００９】
また、いずれのタイプのＣＤホルダーにおいても、保護袋入りのＣＤを収納するのが好ましいが、ＣＤを裸のままで収納するようにしてもよい。この場合、窓をフィルム貼りにより塞いでおくようにする。そして、ＣＤを２枚重ねて収納する時はその間に不織布等のクッションシートを介在させる。また、１枚の裸のＣＤを収納するところでは下にクッションシートを敷くようにする。
【００１０】
【発明の実施の形態】
以下、図面を参照して本発明の実施形態について説明する。
【００１１】
図１は本発明に係るＣＤホルダーの一例を示す斜視図、図２は図１のＣＤホルダーにおける一方の開閉領域を開けた状態を示す斜視図、図３は図２のように開けたＣＤホルダーから袋入りのＣＤを取り出した後の状態を示す斜視図、図４は図１のＣＤホルダーを構成する表側台紙の分解斜視図、図５は同じく裏側台紙の分解斜視図、図６は４枚のＣＤの収納状態を示す斜視図である。
【００１２】
この例のＣＤホルダー１は４枚のＣＤを収納するタイプであり、図６から分かるように、図１のＣＤホルダー１は表側台紙１０と裏側台紙２０の間に４枚の袋入りＣＤ２を２枚ずつ重ねて横に並べた状態で収納したものである。このタイプのＣＤホルダーでは、上側凹部３と下側凹部４にそれぞれ２枚の袋入りＣＤ２が収納された状態になる。
【００１３】
表側台紙１０は、図４に示すように、袋入りのＣＤ２が２つ並んで入る大きさの開口１１ａを形成した厚手の板紙１１と、その表側に貼り付けられる用紙１２とからなり、これらを貼り合わせて上側凹部３が形成される。用紙１２には押罫からなる直線状の折曲線ａとＵ字パターンの切込線ｂとからなる開閉領域１３が区画されている。そして、切込線ｂは板紙１１の開口１１ａの外側にあって板紙１１も貫通して形成されており、用紙１２の方の切込線ｂにのみ途中の適宜の箇所につなぎ部分（図示せず）が残してある。また、この開閉領域１３は折曲線ａの中央から設けられたミシン目線ｃによりそれぞれが袋入りＣＤ２に合うように２分割されており、板紙１１にはこの切込線ｃと重なる位置に切込線ｂと繋がる短い切込線ｄが形成されている。さらに、用紙１２の開閉領域１３における折曲線ａと対向する位置において切込線ｂが内向きに突き出て摘み部分１４が設けられている。この摘み部分１４だけは板紙１１と用紙１２の貼り合わせ時において板紙１１と接着しないようにする。また、図示の例では、中のＣＤ２が見えるようにするため、用紙１２の開閉領域１３には２分割された領域のそれぞれに窓１５が形成されている。また、板紙１１の綴代部分１６と用紙１２の綴代部分１７を区画する切込線αが側縁に沿って設けている。この切込線αは板紙１１と用紙１２を貼り合わせてから形成する。
【００１４】
裏側台紙２０は、図５に示すように、前記板紙１１の開口１１ａと同じ位置に同じ大きさの開口２１ａを形成した厚手の板紙２１と、その裏側に貼り付けられる用紙２２とからなり、これらを貼り合わせて下側凹部４が形成される。図示の例では中のＣＤ２が見えるようにするため、用紙２２に窓２３が２つ形成されている。また、板紙２１の綴代部分２４を区画する切込線αが側縁に沿って設けているが、用紙２２の綴代部分は折曲げ箇所になるので切込は設けていない。また、板紙２１と用紙２２には開口２１ａの縁の外側に接するようにして指先大の円形状切込ｅが２ヶ所に設けられている。この切込ｅは、表側台紙１０の開閉領域１３内であって、裏側台紙２０における板紙２１と用紙２２とが重なった位置に、指先大の孔を形成するために設けてあり、板紙２１と用紙２２を貼り合わせてから、適宜のつなぎ部分を残して形成する。
【００１５】
図１のＣＤホルダー１は製本工程にて例えばパソコン雑誌のページの一部として綴じ込まれる。そして、中のＣＤ２を取り出すには、まず図２に示すように表側台紙１０の開閉領域１３を開ける。開けるに際しては、裏側台紙２０の切込ｅの部分を指で押してその部分を外し、そのまま押すと開閉領域１３の端部を押圧することになり、開閉領域１３は折曲線ａをヒンジとして開く。この場合、図示の例では切込線ｂのつなぎ部分とミシン目線ｃを破断することになる。開閉領域１３を開けた後、図３に示すように袋入りＣＤ２を取り出す。なお、一旦開封すると切込ｅの部分は図２に示す如く指先大の円形状の孔５になる。そして、袋入りＣＤ２を再収納するには、図３のように開いたホルダー１に袋入りＣＤ２を入れて図２の状態にした後、開閉領域１３の端縁部分が摘み部分１４の下に入るように嵌め込む。このようにして閉じることにより、蓋となった開閉領域１３を外れないようにすることができる。再度取り出す時には、孔５に指先を入れて開閉領域１３の端部を押すようにすればよい。なお、もう一方の開閉領域１３についてもその開閉の方法は同様である。
【００１６】
図７は３枚のＣＤを収納するタイプのＣＤホルダーを図６に対応して示した斜視図である。このＣＤホルダーでは、表側台紙１０と裏側台紙２０の間に袋入りＣＤ２を２枚重ねたものと１枚を横に並べた状態で収納してある。
【００１７】
表側台紙１０の構成は図４に示すのと同じであるが、裏側台紙２０の構成が図５のものとは異なっている。すなわち、表側台紙１０の板紙１１の開口１１ａを２分する位置に半分の大きさの開口２１ｂを形成した厚手の板紙２１の裏側に用紙２２を貼り付けて下側凹部４を形成している。したがって、用紙２２に設ける窓２３は１つである。このタイプのＣＤホルダーでは、上側凹部に２枚の袋入りＣＤ２が収納され、下側凹部に１枚の袋入りＣＤ２が収納された状態になる。
【００１８】
なお、以上の説明では、袋入りのＣＤを収納する場合を例に挙げて説明を行ったが、ＣＤを裸のままで収納することもできる。この場合、ＣＤを２枚重ねて収納する時はその間に不織布等のクッションシートを介在させ、しかも各ＣＤの記録面がクッションシート側を向く状態で収納する。また、１枚の裸のＣＤを収納するところでは下にクッションシートを敷くようにする。そして、窓１５をポリプロピレン等のフィルム貼りにより塞いでおく必要がある。
【００１９】
なお、以上の説明では、ＣＤホルダーを雑誌等に綴じ込むことを前提に説明したが、本発明のＣＤホルダーはＣＤを収納するための単なるホルダーとしても利用できるものである。この場合、当然のことながら上記の如き綴代部分を区画する切込線を設ける必要はない。また、本発明のＣＤホルダーは雑誌等の表紙に使用することも可能であり、この場合は、引っ掛かりをなくすため、窓を設けた用紙の表側に透明フィルムをラミネートしたものを使用するとよい。しかも綴代部分は必要なく、用紙には他方の表紙となる延長部分を設けておくようにする。
【００２０】
【発明の効果】
以上説明したように、本発明のＣＤホルダーは、ＣＤが入る開口を形成した厚手の板紙に用紙を貼り付けて収納用の凹部を形成してなる表側台紙と裏側台紙との間にＣＤを入れた状態で両台紙を貼り合わせるようにしたので、３枚或いは４枚のＣＤを収納することができ、しかも紙製であるので低コストである。
【００２１】
そして、用紙に窓を設けることにより収納したＣＤを外から見える形態にすることができる。また、表側台紙の用紙の開閉領域における折曲線と対向する位置において切込線が内向きに突き出た摘み部分を設け、その摘み部分を板紙と接着しない形態にすることにより、摘み部分に開閉領域の端部を引っかけられるので、蓋となった開閉領域をリクローズすることができる。また、表側台紙の開閉領域内であって、裏側台紙における板紙と用紙とが重なった位置に、指先大の孔を形成するための切込を設けることにより、開閉領域の端部を押して容易に開けることができる。
【図面の簡単な説明】
【図１】本発明に係るＣＤホルダーの一例を示す斜視図である。
【図２】図１に示すＣＤホルダーにおける一方の開閉領域を開けた状態を示す斜視図である。
【図３】図２のように開けたＣＤホルダーから袋入りのＣＤを取り出した後の状態を示す斜視図である。
【図４】図１のＣＤホルダーを構成する表側台紙の分解斜視図である。
【図５】図１のＣＤホルダーを構成する裏側台紙の分解斜視図である。
【図６】４枚のＣＤの収納状態を示す斜視図である。
【図７】３枚のＣＤを収納するタイプのＣＤホルダーを図６に対応して示した斜視図である。
【符号の説明】
１  ＣＤホルダー
２  ＣＤ
３  上側凹部
４  下側凹部
５  孔
１０  表側台紙
１１  板紙
１１ａ  開口
１２  用紙
１３  開閉領域
１４  摘み部分
１５  窓
１６，１７  綴代部分
２０  裏側台紙
２１  板紙
２１ａ  開口
２２  用紙
２３  窓
ａ  折曲線
ｂ  切込線
ｃ  ミシン目線
ｄ  切込線
ｅ  円形状切込
α  切込線
【図１】
0003956325.tif 000002
【図２】
0003956325.tif 000003
【図３】
0003956325.tif 000004
【図４】
0003956325.tif 000005
【図５】
0003956325.tif 000006
【図６】
0003956325.tif 000007
【図７】
0003956325.tif 000008